【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
環状口頸部を有しかつ内部に第一の物質が収容される容器本体の該口頸部内に装着されかつ第二の物質が収容される物質収容体であって、
上端に半径方向外方に延びるフランジ部が形成された筒状側壁及び薄肉部により囲まれた開封予定部が形成された底壁を有しかつ該第二の物質が収容される収容本体と、該収容本体を密封する閉塞体とからなり、該閉塞体は、内側にカッタ部が形成された中央部、環状基部及び、該中央部と該環状基部との間に配設された弾性変形部を含むと共に該環状基部が該筒状側壁の上部を閉塞するように該収容本体に対し一体的に装着され、該カッタ部は、該中央部から該底壁の該開封予定部に向かって延びかつ下端が該開封予定部に対向するよう形成され、
該収容本体の該筒状側壁における該フランジ部が該口頸部の上端面に載置されるよう構成されることにより、実質上該口頸部内への装着が離脱自在にせしめられると共に該口頸部に装着されて保持せしめられ、
該口頸部内に装着された状態で該閉塞体の該中央部を該開封予定部に向けて押圧すると、該弾性変形部の変形により該カッタ部が該開封予定部に作用して該薄肉部が破断され、該第二の物質が該容器本体内に流出されて該第一の物質と混合せしめられる、
ことを特徴とする物質収容体。
【請求項２】
該収容本体の該筒状側壁における上端部の内周面には環状係止凹部が形成され、該閉塞体の該環状基部の周縁部は被係止部を構成し、該被係止部が該係止凹部に嵌合されて係止されることにより、該閉塞体は該収容本体に装着される、請求項１記載の物質収容体。
【請求項３】
該収容本体の該底壁における該開封予定部は、該底壁の軸心部から相互に所定の角度をもって半径方向に延びる複数の半径方向薄肉部と、該半径方向薄肉部の各々の外端を連結するように延在する環状薄肉部とからなる該薄肉部により形成されている、請求項１又は請求項２記載の物質収容体。
【請求項４】
該閉塞体における該環状基部には該環状基部の内周縁から上方に延びる基部円筒壁が形成され、該閉塞体における該中央部には中央部円筒壁が形成され、該弾性変形部は、該基部円筒壁の上端から半径方向内方に延びる下環状壁と、該下環状壁の内周縁から上方に延びる中間円筒壁と、該中間円筒壁の上端から半径方向内方に延びて該中央部円筒壁に接続される上環状壁とを有し、該下環状壁及び該上環状壁は薄肉であって柔軟であるよう形成されている、請求項１〜３のいずれか１項に記載の物質収容体。
【請求項５】
該閉塞体の該カッタ部は、下端にカッタが形成された円筒部からなり、該円筒部は、該中央部円筒壁を下方に延長することにより形成されている、請求項４記載の物質収容体。
【請求項６】
該カッタ部は、更に、該円筒部の内側を延びかつ下端にカッタが形成されたロッド部を含み、該ロッド部の該カッタは該円筒部の該カッタよりも該開封予定部に近接して位置付けられている、請求項５記載の物質収容体。
【請求項７】
請求項１〜６のいずれか1項に記載の該物質収容体と、該容器本体の該口頸部の外周面に離脱自在に装着される蓋体とを備え、
該物質収容体が該容器本体の該口頸部内に装着された状態で該蓋体を該口頸部に装着すると、該物質収容体の該フランジ部は、該蓋体によって該口頸部の該上端面に圧接されて保持され、
該物質収容体の該閉塞体における該中央部の、該開封予定部に向けての押圧は、該蓋体を該口頸部から離脱して行う、
ことを特徴とする混合容器。
【請求項８】
該容器本体は、該口頸部の外周面に雄ねじ部が形成された哺乳ビンであり、該蓋体は、天面壁及び該天面壁の周縁から垂下しかつ内周面に雌ねじ部が形成されたスカート壁からなる本体部と、該本体部の該天面壁に装着された乳首とを備えた乳首キャップであり、該第一の物質は該哺乳ビンに収容される湯又は水であり、該物質収容体に収容される該第二の物質は粉ミルクであり、該スカート壁の該雌ねじ部を該口頸部の該雄ねじ部に螺合することにより該乳首キャップは該口頸部の外周面に離脱自在に装着される、請求項７記載の混合容器。
【手続補正２】
【補正対象書類名】明細書
【補正対象項目名】００１３
【補正方法】変更
【補正の内容】
【００１３】
【課題を解決するための手段】
本発明の一局面によれば、
環状口頸部を有しかつ内部に第一の物質が収容される容器本体の該口頸部内に装着されかつ第二の物質が収容される物質収容体であって、
上端に半径方向外方に延びるフランジ部が形成された筒状側壁及び薄肉部により囲まれた開封予定部が形成された底壁を有しかつ該第二の物質が収容される収容本体と、該収容本体を密封する閉塞体とからなり、該閉塞体は、内側にカッタ部が形成された中央部、環状基部及び、該中央部と該環状基部との間に配設された弾性変形部を含むと共に該環状基部が該筒状側壁の上部を閉塞するように該収容本体に対し一体的に装着され、該カッタ部は、該中央部から該底壁の該開封予定部に向かって延びかつ下端が該開封予定部に対向するよう形成され、
該収容本体の該筒状側壁における該フランジ部が該口頸部の上端面に載置されるよう構成されることにより、実質上該口頸部内への装着が離脱自在にせしめられると共に該口頸部に装着されて保持せしめられ、
該口頸部内に装着された状態で該閉塞体の該中央部を該開封予定部に向けて押圧すると、該弾性変形部の変形により該カッタ部が該開封予定部に作用して該薄肉部が破断され、該第二の物質が該容器本体内に流出されて該第一の物質と混合せしめられる、
ことを特徴とする物質収容体、が提供される。
本発明による物質収容体において、該収容本体の該筒状側壁における上端部の内周面には環状係止凹部が形成され、該閉塞体の該環状基部の周縁部は被係止部を構成し、該被係止部が該係止凹部に嵌合されて係止されることにより、該閉塞体は該収容本体に装着される、ことが好ましい。
本発明による物質収容体において、該収容本体の該底壁における該開封予定部は、該底壁の軸心部から相互に所定の角度をもって半径方向に延びる複数の半径方向薄肉部と、該半径方向薄肉部の各々の外端を連結するように延在する環状薄肉部とからなる該薄肉部により形成されている、ことが好ましい。
本発明による物質収容体において、該閉塞体における該環状基部には該環状基部の内周縁から上方に延びる基部円筒壁が形成され、該閉塞体における該中央部には中央部円筒壁が形成され、該弾性変形部は、該基部円筒壁の上端から半径方向内方に延びる下環状壁と、該下環状壁の内周縁から上方に延びる中間円筒壁と、該中間円筒壁の上端から半径方向内方に延びて該中央部円筒壁に接続される上環状壁とを有し、該下環状壁及び該上環状壁は薄肉であって柔軟であるよう形成されている、ことが好ましい。
本発明による物質収容体において、該閉塞体の該カッタ部は、下端にカッタが形成された円筒部からなり、該円筒部は、該中央部円筒壁を下方に延長することにより形成されている、ことが好ましい。
本発明による物質収容体において、該カッタ部は、更に、該円筒部の内側を延びかつ下端にカッタが形成されたロッド部を含み、該ロッド部の該カッタは該円筒部の該カッタよりも該開封予定部に近接して位置付けられている、ことが好ましい。
【手続補正３】
【補正対象書類名】明細書
【補正対象項目名】００１４
【補正方法】変更
【補正の内容】
【００１４】
本発明の他の局面によれば、
上記いずれかの該物質収容体と、該容器本体の該口頸部の外周面に離脱自在に装着される蓋体とを備え、
該物質収容体が該容器本体の該口頸部内に装着された状態で該蓋体を該口頸部に装着すると、該物質収容体の該フランジ部は、該蓋体によって該口頸部の該上端面に圧接されて保持され、
該物質収容体の該閉塞体における該中央部の、該開封予定部に向けての押圧は、該蓋体を該口頸部から離脱して行う、
ことを特徴とする混合容器、が提供される。
本発明による混合容器において、該容器本体は、該口頸部の外周面に雄ねじ部が形成された哺乳ビンであり、該蓋体は、天面壁及び該天面壁の周縁から垂下しかつ内周面に雌ねじ部が形成されたスカート壁からなる本体部と、該本体部の該天面壁に装着された乳首とを備えた乳首キャップであり、該第一の物質は該哺乳ビンに収容される湯又は水であり、該物質収容体に収容される該第二の物質は粉ミルクであり、該スカート壁の該雌ねじ部を該口頸部の該雄ねじ部に螺合することにより該乳首キャップは該口頸部の外周面に離脱自在に装着される、ことが好ましい。